(57)【要約】【課題】筐体が押出成型によって筒状に形成された携帯電子機器であって、筐体に実装される内部部品の耐衝撃性を最小限の機械加工で向上させることができる携帯電子機器及びその組立方法を提供する。【解決手段】筐体１２が押出成型によって筒状に形成されたデジタルカメラ１０であって、このデジタルカメラ１０は、筐体１２の筒状中空部に、レンズユニット１４等の内部部品が支持された内側構造部材２４が挿入配置されて構成される。すなわち、内部部品を内側構造部材２４に支持させ、この内側構造部材２４を筐体１２の筒状中空部に挿入配置して構成する。かかる構造によれば、筐体１２に衝撃が加わると、衝撃による内部部品の振動が内側構造部材２４を介して筐体１２に伝わり、その反力も内側構造部材２４を介して内部部品に伝わる。この作用により、内側構造部材２４が衝撃緩衝部材となるため、内部部品の耐衝撃性が向上する。【選択図】    図１
2009099785.tif 000002
【特許請求の範囲】
【請求項１】
筐体が押出成型によって筒状に形成された携帯電子機器であって、
前記筐体の筒状中空部に、内部部品が支持された内側構造部材が挿入配置されて構成されていることを特徴とする携帯電子機器。
【請求項２】
前記内側構造部材は断面略コ字状に形成され、該コ字状の対向する両端面に、内側構造部材を前記筐体に固定するための固定部が設けられている請求項１に記載の携帯電子機器。
【請求項３】
前記内側構造部材は断面略Ｓ字形状に形成され、その折り曲げられた両端面に、内側構造部材を前記筐体に固定するための固定部が設けられている請求項１に記載の携帯電子機器。
【請求項４】
前記筐体に対して内側構造部材の位置がずれないように各２箇所以上の固定部が内側構造部材の両端面に設けられている請求項１〜３のうちいずれかに記載の携帯電子機器。
【請求項５】
前記内側構造部材の両端面に設けられた前記固定部が前記筐体に固定部材によって固定されている請求項４に記載の携帯電子機器。
【請求項６】
前記内側構造部材は、衝撃を緩衝する弾性力を備えた板状部材であり、該内側構造部材に支持される内部部品は、少なくとも光学系部材である請求項１〜５のうちいずれに記載の携帯電子機器。
【請求項７】
筐体が押出成型によって筒状に形成された携帯電子機器であって、
前記筐体の筒状中空部に、内部部品が支持された内側構造部材を滑らせて挿入した後、該内側構造部材を筐体に固定部材により固定することを特徴とする携帯電子機器の組立方法。
【発明の詳細な説明】
【技術分野】
【０００１】
本発明は携帯電子機器及びその組立方法に係り、特に筐体が押出成型によって筒状に形成された携帯電子機器において、筐体内に実装される内部部品の耐衝撃性を向上させた携帯電子機器及びその組立方法に関する。
【背景技術】
【０００２】
近年、押出成型により形成された中空筒状体を、携帯電子機器の筐体として使用する技術が提案されている。この筐体の内壁面は、押出成型の特徴から押し出し方向にフラットな面であるため、押出成型の筐体の内壁面には、内部部品を実装させるための凹凸部が無い。このため、特許文献１には、押出成型により形成した筐体に、部品取付用の孔及び切欠部をプレス打ち抜き加工により形成し、これらの孔及び切欠部を利用して携帯電子機器の内部部品を筐体に取り付けるようにしている。
【０００３】
一方、携帯電子機器ではないが、マザーボード等のプリント基板ユニットを収納するサーバコンピュータの筐体であって、押出成型により形成された筐体が特許文献２に開示されている。この筐体の内側には複数の突片が一体に形成され、突片同士の間の溝にプリント基板ユニットを挿入することにより、筐体にプリント基板ユニットを取り付けるようにしている。
【特許文献１】特開２００６−１８５９６９号公報
【特許文献２】特開２００６−１６５３３１号公報
【発明の開示】
【発明が解決しようとする課題】
【０００４】
しかしながら、特許文献１に記載の携帯電子機器は、内部部品を取り付けるための孔、切欠部を機械加工により筐体に多数形成しなければならないため、加工コストが嵩むという問題があった。また、筐体に形成された孔、切欠部に内部部品を直接取り付ける構造なので、筐体に衝撃が加わると、衝撃による内部部品の振動が筐体に直接伝わり、その反動（反力）によって内部部品が損傷するというおそれがあった。
【０００５】
本発明はこのような事情に鑑みてなされたもので、筐体が押出成型によって筒状に形成された携帯電子機器であって、筐体に実装される内部部品の耐衝撃性を最小限の機械加工で向上させることができる携帯電子機器及びその組立方法を提供することを目的とする。
【課題を解決するための手段】
【０００６】
請求項１に記載の携帯電子機器の発明は、前記目的を達成するために、筐体が押出成型によって筒状に形成された携帯電子機器であって、前記筐体の筒状中空部に、内部部品が支持された内側構造部材が挿入配置されて構成されていることを特徴とする。
【０００７】
請求項１に記載の発明によれば、内部部品を内側構造部材に支持させ、この内側構造部材を筐体の筒状中空部に挿入配置して携帯電子機器を構成した。かかる構造によれば、筐体に衝撃が加わると、衝撃による内部部品の振動が内側構造部材を介して筐体に伝わり、その反力も内側構造部材を介して内部部品に伝わる。これにより、内側構造部材が衝撃緩衝部材となるため、内部部品の耐衝撃性が向上する。また、内部部品を内側構造部材に支持させるため、内部部品を筐体に取り付けるための孔、切欠部が原則不要になる。但し、例えば、筐体から露出させる必要のある表示部、レンズ部、ファインダ部等の窓を形成する場合には、必要に応じて孔、切欠部が筐体に必要になるが、それを最小限に抑えることができる。よって、本発明によれば、筐体が押出成型によって筒状に形成された携帯電子機器であって、筐体に実装される内部部品の耐衝撃性を最小限の機械加工で向上させることができる。
【０００８】
請求項２に記載の発明は、請求項１において、前記内側構造部材は断面略コ字状に形成され、該コ字状の対向する両端面に、内側構造部材を前記筐体に固定するための固定部が設けられていることを特徴とする。
【０００９】
請求項２に記載の発明によれば、断面略コ字形状に形成された内側構造部材を、筐体の端部開口部から滑らせて挿入し、内側構造部材のコ字状の対向する両端面に設けられた固定部を筐体に固定する。よって、筐体に対する内部部品の組立手順は、内部部品を内側構造部材に支持させ、この内側構造部材を筐体に滑らせて挿入配置し、内側構造部材の固定部を筐体に固定するという簡単な作業で終えることができるので、組立作業性が向上する。固定部を筐体に固定する手法としては、後述する固定部材の他、溶接、接着を含む。
【００１０】
請求項３に記載の発明は、請求項１において、前記内側構造部材は断面略Ｓ字形状に形成され、その折り曲げられた両端面に、内側構造部材を前記筐体に固定するための固定部が設けられていることを特徴とする。
【００１１】
請求項３に記載の発明によれば、断面略Ｓ字形状に形成された内側構造部材を、筐体の端部開口部から滑らせて挿入し、内側構造部材の両端面に設けられた固定部を筐体に固定する。よって、筐体に対する内部部品の組立手順は、内部部品を内側構造部材に支持させ、この内側構造部材を筐体に滑らせて挿入配置し、内側構造部材の固定部を筐体に固定するという簡単な作業で終えることができるので、組立作業性が向上する。また、内側構造部材の断面が略Ｓ字形状なので、フラットな断面のものと比較して衝撃緩衝方向が増えることから衝撃緩衝性能が向上する。
【００１２】
請求項４に記載の発明は、請求項１〜３において、前記筐体に対して内側構造部材の位置がずれないように各２箇所以上の固定部が内側構造部材の両端面に設けられていることを特徴とする。
【００１３】
請求項４に記載の発明によれば、一つの端面に設けられた２箇所以上の固定部を利用して内側構造部材を筐体に固定するため、筐体に対する内側構造部材の位置ずれを防止できるとともに、内側構造部材を筐体に高い剛性で固定することができる。
【００１４】
請求項５に記載の発明は、請求項４において、前記内側構造部材の両端面に設けられた前記固定部が前記筐体に固定部材によって固定されていることを特徴とする。
【００１５】
請求項５に記載の発明によれば、内側構造部材と筐体とを固定部材によって固定する。固定部材としてねじを利用することが好ましく、これによって、筐体に対する内側構造部材の組立、分解が容易になる。ねじに代えて、セットビス、ボルトを使用することもできる。
【００１６】
請求項６に記載の発明は、請求項１〜５において、前記内側構造部材は、衝撃を緩衝する弾性力を備えた板状部材であり、該内側構造部材に支持される内部部品は、少なくとも光学系部材であることを特徴とする。
【００１７】
請求項６に記載の発明によれば、振動、衝撃を嫌う精密機器の光学系部材においては、弾性力を備えた板状部材、例えば、板ばね部材を介して筐体に支持させることが好ましい。これにより、光学系部材を衝撃、振動から保護する保護力が向上する。なお、内部部品としては、基板等の電子機器、バッテリ等の収納部材を例示することができる。
【００１８】
請求項７に記載の携帯電子機器の組立方法の発明は、筐体が押出成型によって筒状に形成された携帯電子機器であって、前記筐体の筒状中空部に、内部部品が支持された内側構造部材を滑らせて挿入した後、該内側構造部材を筐体に固定部材により固定することを特徴とする。
【００１９】
請求項７に記載の携帯電子機器の組立方法の発明によれば、押出成型によって形成された筐体の筒状中空部に、内部部品が支持された内側構造部材を滑らせて挿入した後、この内側構造部材を筐体に固定部材によって固定する。これにより、押出成型品の筐体に対する内部部品の組立性が向上する。
【発明の効果】
【００２０】
本発明に係る携帯電子機器によれば、内部部品を内側構造部材に支持させ、この内側構造部材を筐体の筒状中空部に挿入配置して構成したので、筐体が押出成型によって筒状に形成された携帯電子機器であって、筐体に実装される内部部品の耐衝撃性を最小限の機械加工で向上させることができる。
【００２１】
また、本発明に係る携帯電子機器の組立方法によれば、押出成型によって形成された筐体の筒状中空部に、内部部品が支持された内側構造部材を滑らせて挿入した後、この内側構造部材を筐体に固定部材によって固定する。これにより、押出成型品の筐体に対する内部部品の組立性が向上する。
【発明を実施するための最良の形態】
【００２２】
以下、添付図面に従って本発明に係る携帯電子機器及びその組立方法の好ましい実施の形態について説明する。
【００２３】
図１は、本発明が適用された第１の実施の形態のデジタルカメラ１０の組立斜視図である。なお、以下の実施の形態では、携帯電子機器としてデジタルカメラ１０を例示するが、これに限定されるものではなく、携帯ゲーム機、携帯電話、ＰＤＡ（Personal Digital Assistant）等の携帯電子機器に適用することができる。
【００２４】
同図に示すデジタルカメラ１０は、いわゆるコンパクトカメラとして構成されており、そのカメラボディである筐体１２は、図１上で水平方向に抜き型を有する押出成型によって扁平な矩形状の中空箱体に形成されている。
【００２５】
被写体の光学像を撮像素子（不図示）の受光面上に結像させるためのレンズユニット（光学系部材）１４は、筐体１２内に実装される。また、このレンズユニット１４は、沈胴式のズームレンズ１６で構成されており、カメラの電源をＯＮにすると、そのレンズ鏡筒が筐体１２の前面開口部１８から前方に繰り出される。そして、カメラの電源をＯＦＦにすると、繰り出されたレンズ鏡胴は筐体１２の内側に沈胴し、筐体１２の前面がフラットになる。更に、レンズユニット１４には、ズームレンズ１６の前玉を保護するためのレンズバリア（不図示）が組み込まれており、レンズ鏡筒の沈胴、繰り出しに応じて自動で開閉される。更にまた、前記撮像素子は、レンズユニット１４の後端部に不図示のフレームを介して取り付けられている。なお、この筐体１２内には、レンズユニット１４の他、基板２０等の電子部品、電池２２等の内部部品が実装される。
【００２６】
ところで、図１に示したレンズユニット１４、基板２０、電池２２は、内側構造部材２４に接着、セットビス、又はねじ等の支持部材を介して支持され、この内側構造部材２４が筐体１２の筒状中空部に挿入配置されることにより筐体１２に実装される。この内側構造部材２４には、レンズユニット１４のズームレンズ１６を、筐体１２の前面開口部１８を介して露出するための円形開口部２５が形成されている。
【００２７】
図１の如く、レンズユニット１４、基板２０、電池２２等の内部部品を内側構造部材２４に支持させ、この内側構造部材２４を筐体１２の筒状中空部に挿入配置して構成すると、筐体１２に衝撃が加わった際に、衝撃による内部部品の振動が内側構造部材２４を介して筐体１２に伝わり、その反力も内側構造部材２４を介して内部部品に伝わる。
【００２８】
この作用により、内側構造部材２４が衝撃緩衝部材となるため、このデジタルカメラ１０では、内部部品の耐衝撃性が向上する。また、内部部品を内側構造部材２４に支持させるため、内部部品を取り付けるための孔、切欠部が筐体１２に原則不要になる。但し、筐体１２から露出させる必要のあるズームレンズ１６、表示部、ファインダ部の窓用開口部１８を形成する場合には、必要に応じて孔、切欠部が必要になるが、それを最小限に抑えることができる。
【００２９】
よって、図１に示したデジタルカメラ１０によれば、筐体１２が押出成型によって筒状に形成されたデジタルカメラであって、筐体１２に実装される内部部品の耐衝撃性を最小限の機械加工で向上させることができる。
【００３０】
また、内側構造部材２４は、上端面２４Ａ、及び下端面２４Ｂが同方向に直角に折曲された縦断面略コ字状に形成されている。そして、コ字状の対向する端面２４Ａ、２４Ｂに、内側構造部材２４を筐体１２に固定するためのねじ孔(固定部)２６、２６が設けられている。
【００３１】
したがって、このデジタルカメラ１０によれば、縦断面略コ字形状に形成された内側構造部材２４を、筐体１２の側面開口部１２Ａから水平方向に滑らせて挿入し、内側構造部材２４の上端面２４Ａ、下端面２４Ｂに設けられたねじ孔２６、２６を利用して両端面２４Ａ、２４Ｂを筐体１２に固定する。すなわち、筐体１２の上面１２Ａ、下面１４Ａに形成されたねじ挿入孔２８、２８を介してねじ（固定部材）３０、３０…を挿入し、これを内側構造部材２４のねじ孔２６、２６に締結することにより内側構造部材２４が筐体１２に固定される。
【００３２】
よって、筐体１２に対する内部部品の組立手順は、内部部品を内側構造部材２４に支持させ、この内側構造部材２４を筐体１２に滑らせて挿入配置し、内側構造部材２４をねじ３０、３０…で筐体１２に固定するという簡単な作業で終えることができる。したがって、実施の形態のデジタルカメラ１０の組立方法によれば、押出成型品の筐体に対する内部部品の組立作業性が向上する。なお、内側構造部材２４の両端部２４Ａ、２４Ｂを筐体１２に固定する手法としては、ねじ３０の他、溶接、接着であってもよい。
【００３３】
図２は、第２の実施の形態のデジタルカメラ５０の組立斜視図であり、図１に示したデジタルカメラ１０と同一又は類似の部材については同一の符号を付して説明する。
【００３４】
同図に示すデジタルカメラ５０の筐体５２は、図２上で上下方向に抜き型を有する押出成型によって扁平な矩形状の中空箱体に形成されている。
【００３５】
レンズユニット１４、基板２０、及び電池２２等の内部部品は、内側構造部材５４に支持され、この内側構造部材５４が筐体５２の筒状中空部に上下方向から挿入配置されることによって筐体５２に実装される。すなわち、レンズユニット１４、基板２０、電池２２等の内部部品を内側構造部材５４に支持させ、この内側構造部材５４を筐体５２の筒状中空部に挿入配置して構成する。これにより、筐体５２に衝撃が加わった際に、衝撃による内部部品の振動が内側構造部材５４を介して筐体５２に伝わり、その反力も内側構造部材５４を介して内部部品に伝わる。この作用により、内側構造部材５４が衝撃緩衝部材となるため、このデジタルカメラ５０も同様に内部部品の耐衝撃性が向上する。
【００３６】
また、内側構造部材５４は、左端面５４Ａ、及び右端面５４Ｂが同方向に直角に折曲された横断面略コ字状に形成されており、そして、コ字状の対向する端面５４Ａ、５４Ｂに、内側構造部材５４を筐体５２に固定するためのねじ孔２６、２６が設けられている。
【００３７】
したがって、このデジタルカメラ５０によれば、横断面略コ字形状に形成された内側構造部材５４を、筐体５２の上端開口部５２Ａから上下方向に滑らせて挿入し、内側構造部材５４のコ字状の対向する端面５４Ａ、５４Ｂに設けられたねじ孔２６、２６を利用して端面２４Ａ、２４Ｂを筐体５４に固定する。すなわち、筐体５４の左端面５４Ａ、右端面５４Ｂに形成されたねじ挿入孔２８、２８を介してねじ（固定部材）３０、３０…を挿入し、これを内側構造部材５４のねじ孔２６、２６に締結することにより内側構造部材５４を筐体５２に固定する。これにより、このデジタルカメラ１０も同様に、押出成型品である筐体５２に対する内部部品の組立作業性が向上する。
【００３８】
図３は、第３の実施の形態のデジタルカメラ６０の組立斜視図であり、図１に示したデジタルカメラ１０と同一又は類似の部材については同一の符号を付して説明する。
【００３９】
同図に示すデジタルカメラ６０の筐体６２は、図３上で水平方向に抜き型を有する押出成型によって扁平な矩形状の中空箱体に形成されている。
【００４０】
レンズユニット１４、基板２０、２０、及び電池２２等の内部部品は、内側構造部材６４に支持され、この内側構造部材６４が筐体６２の筒状中空部に水平方向から挿入配置されることによって筐体６２に実装される。すなわち、レンズユニット１４、基板２０、電池２２等の内部部品を内側構造部材６４に支持させ、この内側構造部材６４を筐体６２の筒状中空部に挿入配置して構成する。これにより、筐体６２に衝撃が加わった際に、衝撃による内部部品の振動が内側構造部材６４を介して筐体６２に伝わり、その反力も内側構造部材６４を介して内部部品に伝わる。この作用により、内側構造部材６４が衝撃緩衝部材となるため、このデジタルカメラ６０も同様に内部部品の耐衝撃性が向上する。
【００４１】
また、内側構造部材６４は、上端面６４Ａ、及び下端面６４Ｂが逆方向に直角に折曲された縦断面略Ｓ字状に形成されている。そして、内側構造部材６４の端面６４Ａ、６４Ｂに、内側構造部材６４を筐体６２に固定するためのねじ孔２６、２６が設けられている。このような形状に形成された内側構造部材６４において、レンズユニット１４は、上端面６４Ａと上垂直面６４Ｃと中水平面６４Ｄとで囲まれた凹部に配置され、基板２０、２０、電池２２は、中水平面６４Ｄと下垂直面６４Ｅと下端面６４Ｂとで囲まれた凹部に配置される。
【００４２】
したがって、このデジタルカメラ６０によれば、縦断面略Ｓ字形状に形成された内側構造部材６４を、筐体６２の側面開口部６２Ａから水平方向に滑らせて挿入し、内側構造部材６４の上端面６４Ａ、下端面６４Ｂに設けられたねじ孔２６、２６を利用して端面６４Ａ、６４Ｂを筐体６４に固定する。すなわち、筐体６４の上端面６４Ａ、下端面６４Ｂに形成されたねじ挿入孔２８、２８を介してねじ３０、３０…を挿入し、これを内側構造部材６４のねじ孔２６、２６に締結することにより内側構造部材６４を筐体６２に固定する。これにより、このデジタルカメラ６０も同様に、押出成型品である筐体６２に対する内部部品の組立作業性が向上する。
【００４３】
また、内側構造部材６４の断面が略Ｓ字形状であると、フラットなものと比較して衝撃緩衝方向が増えることから衝撃緩衝性能が向上する。
【００４４】
更に、図１〜図３に示したデジタルカメラ１０、５０、６０は、筐体１２、５２、６２に対して内側構造部材２４、５４、６４の位置がずれないように各２箇所以上（図では２箇所を図示）のねじ孔２６、２６が内側構造部材２４、５４、６４の端面２４Ａ、２４Ｂ、５４Ａ、５４Ｂ、６４Ａ、６４Ｂに設けられている。これにより、一端面において２箇所以上のねじ孔２６、２６を利用して内側構造部材２４、５４、６４が筐体１２、５２、６２に固定されるため、筐体１２、５２、６２に対する内側構造部材２４、５４、６４の位置ずれを防止できるとともに、内側構造部材２４、５４、６４を筐体１２、５２、６２に高い剛性で固定することができる。
【００４５】
更にまた、内側構造部材２４、５４、６４は、衝撃を緩衝する弾性力を備えた板ばね部材（板状部材）であるので、振動、衝撃を嫌う精密機器であるレンズユニット１４において好ましい支持形態となる。
【図面の簡単な説明】
【００４６】
【図１】第１の実施の形態のデジタルカメラの組立斜視図
【図２】第２の実施の形態のデジタルカメラの組立斜視図
【図３】第３の実施の形態のデジタルカメラの組立斜視図
【符号の説明】
【００４７】
１０、５０、６０…デジタルカメラ、１２、５４、６４…筐体、１４…レンズユニット、１６…ズームレンズ、１８…前面開口部、２０…基板、２２…電池、２４、５４、６４…内側構造部材、２６…ねじ孔、２８…挿入孔、３０…ねじ
【図１】
2009099785.tif 000003
【図２】
2009099785.tif 000004
【図３】
2009099785.tif 000005